(57)【要約】【課題】  使用者の口と耳の位置に合わせて、マイクとスピーカーの位置を最適な位置筐体に設定できる携帯電話装置を提供する。【解決手段】  カメラ５、キー６、マイク７を有する本体１の両側面に設けられたガイド部１１に、キー６、開口部８、表示部９とスピーカー１０を有する筐体２の嵌合部４をスライド可能に嵌め込み、筐体２を右方にスライドさせ本体１の端部に設けられた回動可能なヒンジ部３の溝３ａに筐体２の嵌合部４を嵌合させて、筐体２を回転させ最適な位置を得る。【選択図】        図１
2006005564.tif 000002
【特許請求の範囲】
【請求項１】
音声が入力される音声入力手段およびカメラが設けられた第１の筐体と、この第１の筐体に設けられた前記音声入力手段および前記カメラが設けられた面に対してスライド可能に設けられ、音声出力手段を有する第２の筐体と、前記第１の筐体と前記第２の筐体のいずれかに設けられたガイド部、前記第１の筐体および前記第２の筐体のうち、前記ガイド部が設けられた筐体とは異なる筐体に設けられて、前記ガイド部とスライド可能に勘合する嵌合部を含むスライド機構と、このスライド機構の前記嵌合部がスライド可能な溝、および前記第１の筐体ないし前記第２の筐体のいずれかに対して回動する回動機構を含み、前記第１の筐体および前記第２の筐体を回動可能に結合するヒンジ部とを設けたことを特徴とする携帯電話装置。
【請求項２】
前記ガイド部は、前記第１の筐体に設けられたカメラを第２の筐体で覆う状態で前記嵌合部を一時固定するための固定溝を備えることを特徴とする請求項１記載の携帯電話装置。
【請求項３】
前記第２の筐体は、前記第２の筐体と前記第１の筐体がそれぞれの背面を対向させて収納される収納状態で前記第１の筐体の音声入力手段に音声の入力が可能なように音声入力手段の位置に対応して第２の筐体上面から下面に通じた開口部を備えることを特徴とする請求項１記載の携帯電話装置。
【発明の詳細な説明】
【技術分野】
【０００１】
本発明は、携帯電話装置に関する。
【背景技術】
【０００２】
従来の携帯電話装置は、数字、文字を入力するキーからなる操作部と音声を入力する音声入力部を有する本体と、表示部と音声出力部を有する筐体とからなり、本体と筐体を２方向に回転可能な連結部材により互いに連結した構成をとる。音声出力部は筐体の表示部がある面および反対側の面に設けられている。連結部材は、折りたたみ状態では、音声入力部を有する本体の音声入力部と表示部を有する筐体は対向するようになるが、音声入力部を有する本体の操作面に対し、音声出力部と表示部を有する筐体の表示部の面を対向させることもでき、また、筐体の背面と対向させることもできるように、筐体部が連結部材に対して回転できる構成になっている（例えば、特許文献１参照）。
また、従来の携帯電話装置には、数字、文字を入力するキーからなる操作部と音声入力部を備えた本体と、音声出力を行う音声出力部と表示部及びソフトキーを備えた筐体がスライド可能に構成されているものもある。表示部を備える筐体をスライドさせて全閉することにより本体のキーが隠れ、表示部を有する筐体をスライドさせて全開するとキーが露出するようになっている。スライドによって筐体が抜け外れないようにストッパが設けられている（例えば、特許文献２参照）。
【０００３】
【特許文献１】特開２００２−２３２３２８号公報（第２頁〜第４ページ、第１図）
【特許文献２】特開２００３−１１０６７５号公報（第２頁〜第３ページ、第１図）
【発明の開示】
【発明が解決しようとする課題】
【０００４】
特許文献１に記載の携帯電話装置は、閉じた状態および開いた状態で音声を出力するようにするため、２方向に回転する複雑な構成の連結部材を必要とし、また、音声出力部を筐体の両面に設けているためコスト高であるという問題点があった。
また、特許文献２に記載の携帯電話装置は、音声入力部と音声出力部の位置が、どの通話者の耳および口に対して近接して対向できないという問題点があった。
【０００５】
この発明は、上述のような課題を解決するためになされたもので、簡単な構造で、操作性のよい携帯電話装置を得ることを目的とする。
【課題を解決するための手段】
【０００６】
この発明に係る携帯電話装置は、音声が入力される音声入力手段およびカメラが設けられた第１の筐体と、この第１の筐体に設けられた前記音声入力手段および前記カメラが設けられた面に対してスライド可能に設けられ、音声出力手段を有する第２の筐体と、前記第１の筐体と前記第２の筐体のいずれかに設けられたガイド部、前記第１の筐体および前記第２の筐体のうち、前記ガイド部が設けられた筐体とは異なる筐体に設けられて、前記ガイド部とスライド可能に勘合する嵌合部を含むスライド機構と、このスライド機構の前記嵌合部がスライド可能な溝、および前記第１の筐体ないし前記第２の筐体のいずれかに対して回動する回動機構を含み、前記第１の筐体および前記第２の筐体を回動可能に結合するヒンジ部とを設けたものである。
【発明の効果】
【０００７】
この発明は、筐体に設けられた嵌合部と筐体を回動可能に結合するヒンジ部により、第１の筐体の音声入力手段と第２の筐体の音声出力手段の位置を話者の口と耳の距離に応じて最適な位置合わせが容易に行える。
【発明を実施するための最良の形態】
【０００８】
実施の形態１．
図１は、この発明を実施するための実施の形態１における携帯電話装置を示すものである。図１において、本体（第１の筐体）１には、筐体（第２の筐体）２の嵌合部４が勘合スライドするガイド部１１が筐体２の長手方向両側に設けられ、嵌合部４がスライドしてはめ込まれる溝３ａが形成されたヒンジ部３を有する。また、本体１には、カメラ５、数字、文字を入力するためのキー６が配列され、音声を入力するためのマイク（音声入力手段）７が設けられている。筐体２には、キー６、開口部８、ＬＣＤなどの表示部９およびスピーカー（音声出力手段）１０が設けられている。開口部８は、話者の音声が筐体２の背面（表示部９に設けられている面の反対側の面をいう）へ伝播させるものである。また、ガイド部１１には、筐体２が嵌合部４を介してガイド部１１をマイク７方向の筐体端部にスライドし、マイク７側の筐体端部において固定するための固定溝１３が設けられている。この固定溝１３による一時的な固定は、筐体２にガイド部１１の方向へ沿って力を加えることにより容易に解除できるものである。
ヒンジ部３は、図２に示すように円筒状の一体型の回転可能なヒンジ部３、または図３に示すように本体１の端部に２つに分割されたそれぞれが回転可能なヒンジ部３−１、３−２の構成をとる。さらに、ヒンジ部３に設けられた溝３ａの開口部は、通常、ガイド部１１の方向と一致するようになっている。
【０００９】
つぎに、図１と、図４から図９を用いて動作を説明する。まず、図１では、固定溝１３とヒンジ部３の溝３ａの間に筐体２の嵌合部４があるときの状態を示している。
図４は、図１の位置からガイド部１１に沿って筐体２をスライドさせ、ガイド部１１の終端（本体１の接続部３側）までスライドさせた状態で、この状態では本体１のキー６とカメラ５など本体１の全面が筐体２に覆われた状態となった収納状態を示す（この本体１と筐体２の位置を第１の位置状態という）。この第１の位置状態では、本体１のマイク７の上に筐体２の開口部８が位置する。開口部８は音声が筐体２の背面まで通過するように形成されているため、音声は開口部８を通過しマイク７に達するので、この位置状態でも音声入力ができる。また、キー６、表示部９、スピーカー１０が操作または確認可能な状態となっている。
図５は、第１の位置状態からガイド部１１に沿ってスライドさせガイド部１１の途中で一時的に固定された状態を示す（第２の位置状態という）。この位置では、本体１のカメラ５は筐体２に覆われて隠れているが、マイク７、キー６が露出し、操作、確認可能な状態となり、また表示部９、スピーカー１０が確認可能な状態となる。
図６は、筐体２の嵌合部４がヒンジ部３の溝３ａに勘合した状態を示す（第３の位置状態という）。この状態では、第２の位置状態からさらに筐体２をスライドさせて開いて、本体１のマイク７、キー６、カメラ５まで露出された状態となる。この第３の位置状態では、本体１と筐体２の面を操作者に向けることにより、カメラ５と表示部が操作者に向けられるので、操作者（自分）の撮影に適している。また、この位置の状態では、ヒンジ部３を中心として筐体２を回転させ、任意の位置にすることができる。
【００１０】
図７は、ヒンジ部３の溝３ａに嵌合部４が嵌合した状態、すなわち第３の位置状態から、ヒンジ部３を介して回動させ筐体２を本体１に対して起こした（図中矢印の方向）状態を示す（第４の位置状態という）。この状態では、本体１と筐体２の面がなす角度を任意の位置で固定することができる。このため、マイク７とスピーカー１０の間の距離が自在に設定でき、話者の口と耳の位置に合わせて最適に調整可能となっている。また、キー６による文字入力やメール等のコンテンツ閲覧に際し表示部９を見やすい位置に設定できる。
図８は、第３の位置状態から筐体が本体１となす角度が大きくなる様にヒンジ部３を介して回動させて倒した（図中の矢印方向）状態を示す（第５の位置状態という）。この状態は、第４の位置状態からも移行できる。
図９は、第５の位置状態を経て本体１を、ヒンジ部３を介して回動させて筐体２の背面方向に完全に回転させた状態を示す（第６の位置状態という）。この第６の位置状態では、表示部９、キー６がユーザ側に向ければ、カメラ５、マイク７が被写体側に向くため写真、ムービー撮影に好適である。
【００１１】
上述の説明では、本体１にガイド部１１とヒンジ部３を設け、筐体２に嵌合部４を設ける構成としたが、本体１に嵌合部４を設け、筐体２の側面にガイド部１１とヒンジ部３を設ける構成としてもよい。
【００１２】
以上のように、本体１の両側面にガイド部１１を設け、このガイド部をスライドする筐体２の嵌合部４とこの嵌合部４に嵌合し回動するヒンジ部３を設けた構造をとることにより、収納状態でも音声出力部の音声及び表示部の文字、画像を確認しながら操作キーにより操作することができる。
また、筐体をスライドさせ一部開いた位置で、キーを操作しながら、音声出力部及び表示部を確認しながら、本体と筐体のキー全てを使用して操作することができる。
また、筐体をスライドさせて全開することで、カメラが現れる位置となり、表示部を確認しながら本体音声入力部が対向し、自分撮りのカメラ撮影ができる。また、筐体を回動させることによりカメラおよび表示部の対向位置を調整することができるとともに、話者の口と耳の位置に合わせた最適な位置への調整ができる。
さらに、本体に対し筐体が３６０度回動した位置を取れるので、音声入力部とカメラが被写体に対向した状態で、操作者が表示部および音声出力を確認しながら撮影ができる。
【図面の簡単な説明】
【００１３】
【図１】この発明の実施の形態１を示す図である。
【図２】この発明のヒンジ部を示す図である。
【図３】この発明の他のヒンジ部を示す図である。
【図４】この発明の実施の形態１における第１の位置状態を示す図である。
【図５】この発明の実施の形態１における第２の位置状態を示す図である。
【図６】この発明の実施の形態１における第３の位置状態を示す図である。
【図７】この発明の実施の形態１における第４の位置状態を示す図である。
【図８】この発明の実施の形態１における第５の位置状態を示す図である。
【図９】この発明の実施の形態１における第６の位置状態を示す図である。
【符号の説明】
【００１４】
１  本体、２  筐体、３  ヒンジ部、４  嵌合部、５  カメラ、６  キー、７  マイク、８  開口部、９  表示部、１０  スピーカー、１１  ガイド部、１２  シャッター、１３  固定溝。
【図１】
2006005564.tif 000003
【図２】
2006005564.tif 000004
【図３】
2006005564.tif 000005
【図４】
2006005564.tif 000006
【図５】
2006005564.tif 000007
【図６】
2006005564.tif 000008
【図７】
2006005564.tif 000009
【図８】
2006005564.tif 000010
【図９】
2006005564.tif 000011